【手続補正書】
【提出日】平成25年9月27日(2013.9.27)
【手続補正１】
【補正対象書類名】特許請求の範囲
【補正対象項目名】全文
【補正方法】変更
【補正の内容】
【特許請求の範囲】
【請求項１】
交換式建物一体型太陽光発電（ＢＩＰＶ）モジュールシステムであって、
複数のラッチ部を有するモジュールフレームと、
複数の台となるポストと、を備え、
前記複数のラッチ部の各々は、溝と、固定クリップとを含み、
前記複数の台となるポストの各々は、前記複数のラッチ部がそれぞれ含む前記溝の中に延びるフランジを含み、
各々の前記固定クリップは、前記モジュールフレームを前記複数の台となるポストに分離可能なように結合させるように、前記複数の台となるポストの各々と接触する、
交換式ＢＩＰＶモジュールシステム。
【請求項２】
前記複数の台となるポストの各々は、スルーホールを有し、各々の前記固定クリップは前記複数の台となるポストの各々と結合する場合に前記スルーホールを貫通する、請求項１に記載の交換式ＢＩＰＶモジュールシステム。
【請求項３】
前記モジュールフレームは、実質的に、複数の太陽電池セルを含む光起電積層体を全体的に囲む、請求項１又は２に記載の交換式ＢＩＰＶモジュールシステム。
【請求項４】
前記モジュールフレームは、実質的に、複数の前記光起電積層体を全体的に囲む請求項３に記載の交換式ＢＩＰＶモジュールシステム。
【請求項５】
各々の前記固定クリップは、嵌め込まれた位置に維持されるように、ばねによりバイアスされる請求項１から４の何れか１項に記載の交換式ＢＩＰＶモジュールシステム。
【請求項６】
各々の前記固定クリップは、前記ばねに対する力を付与することにより、嵌め込まれた位置から取り外されるように操作可能である請求項５に記載の交換式ＢＩＰＶモジュールシステム。
【請求項７】
前記複数の台となるポストの各々は、前記固定クリップに嵌め込まれる切り込みを有する、請求項６に記載の交換式ＢＩＰＶモジュールシステム。
【請求項８】
交換式建物一体型太陽光発電（ＢＩＰＶ）モジュールシステムであって、
複数の固定クリップを有し、実質的に光起電積層体を囲むモジュールフレームと、
複数のスキッドと、を備え、
前記複数のスキッドの各々は、ポストと前記ポスト上の切り込みを有し、前記複数の固定クリップの各々は前記切り込みに嵌め込まれることにより分離可能なように前記ポストに結合する、
交換式ＢＩＰＶモジュールシステム。
【請求項９】
前記複数の固定クリップの各々は、前記複数の固定クリップの各々を嵌め込まれた位置に維持するばねを含み、
前記嵌め込まれた位置において、前記複数の固定クリップの各々は、前記複数のスキッドの各々と結合する、
請求項８に記載の交換式ＢＩＰＶモジュールシステム。
【請求項１０】
前記複数のスキッドの一つにおける複数の前記切り込みの１つから固定クリップを取り外すことにより、各々の前記固定クリップは開放された位置となるように操作されたときに、前記スキッドから取り外される、
請求項９に記載の交換式ＢＩＰＶモジュールシステム。
【手続補正２】
【補正対象書類名】明細書
【補正対象項目名】００４４
【補正方法】変更
【補正の内容】
【００４４】
少なくとも１つ例示の実施形態が前述の詳細な説明に示されるが、多くのバリエーションが存在することが理解されたい。ここに記載される例示の実施形態は、いかなる態様においても、特許請求の範囲に記載された発明の範囲、応用性、または形態を限定する意図を有するものでないことを理解されたい。むしろ、前述の詳細な説明は、当業者に記述された実施形態を実施するための便利なロードマップを提供するであろう。特許請求の範囲に定義された範囲から離れることなく、要素の機能及び配置に対して、本願の出願時における公知の均等物及び予想可能な均等物を含む様々な変更がなされることを理解されたい。
［項目１］
建物上に屋根構造として搭載するための交換式建物一体型太陽光発電（ＢＩＰＶ）モジュールシステムであって、
光起電積層体、及び、上記光起電積層体の周囲を実質的に全体的に囲み結合手段を含むフレームを有するモジュールと、
建物と結合する咬合手段とを備え、
上記咬合手段は上記結合手段を結合して上記モジュールと上記建物を分離可能なように結合する、
交換式ＢＩＰＶモジュールシステム。
［項目２］
上記結合手段は、ばねを含む項目１に記載の交換式ＢＩＰＶモジュールシステム。
［項目３］
上記咬合手段は、複数のスキッドを有する項目１に記載の交換式ＢＩＰＶモジュールシステム。
［項目４］
上記結合手段は、分離可能な固定クリップを備える項目１に記載の交換式ＢＩＰＶモジュールシステム。
［項目５］
上記咬合手段は、台となるポストを有する項目４に記載の交換式ＢＩＰＶモジュールシステム。
［項目６］
上記結合手段は留め具を備える項目１に記載の交換式ＢＩＰＶモジュールシステム。
［項目７］
上記留め具はボルトを含む項目６に記載の交換式ＢＩＰＶモジュールシステム。
［項目８］
上記咬合手段はねじ山の切られた穴を有する項目６に記載の交換式ＢＩＰＶモジュールシステム。
［項目９］
交換式建物一体型太陽光発電（ＢＩＰＶ）モジュールシステムであって、
複数のラッチ部を有するモジュールフレームと、
複数の台となるポストと、を備え、
各々の上記ラッチ部は、溝と、固定クリップとを含み、
各々の上記ポストは上記ラッチ部の上記溝の中に延びるフランジを含み、
各々の上記固定クリップは、上記モジュールフレームを上記台となるポストに分離可能なように結合させるように、上記ポストと接触する、
交換式ＢＩＰＶモジュールシステム。
［項目１０］
各々の上記台となるポストは、スルーホールを有し、各々の上記固定クリップは上記台となるポストと結合する場合に上記スルーホールを貫通する、項目９に記載の交換式ＢＩＰＶモジュールシステム。
［項目１１］
上記モジュールフレームは、実質的に、複数の太陽電池セルを含む光起電積層体を全体的に囲む、項目９に記載の交換式ＢＩＰＶモジュールシステム。
［項目１２］
上記モジュールフレームは、実質的に、複数の光起電積層体を全体的に囲む項目１１に記載の交換式ＢＩＰＶモジュールシステム。
［項目１３］
各々の固定クリップは、嵌め込まれた位置に維持されるように、ばねによりバイアスされる項目９に記載の交換式ＢＩＰＶモジュールシステム。
［項目１４］
各々の固定クリップは、上記ばねに対する力を付与することにより、嵌め込まれた位置から取り外されるように操作可能である項目１３に記載の交換式ＢＩＰＶモジュールシステム。
［項目１５］
複数の台となるポストの各々は、固定クリップに嵌め込まれる切り込みを有する、項目１４に記載の交換式ＢＩＰＶモジュールシステム。
［項目１６］
交換式建物一体型太陽光発電（ＢＩＰＶ）モジュールシステムであって、
複数の固定クリップを有し、実質的に光起電積層体を囲むモジュールフレームと、
複数のスキッドと、を備え、
各々の上記スキッドは、ポストと上記ポスト上の切り込みを有し、各々の上記固定クリップは上記切り込みに嵌め込まれることにより分離可能なように上記ポストに結合する、
交換式ＢＩＰＶモジュールシステム。
［項目１７］
各々の固定クリップは、上記固定クリップを嵌め込まれた位置に維持するばねを含み、
上記嵌め込まれた位置において、上記固定クリップは、上記スキッドと結合する、
項目１６に記載の交換式ＢＩＰＶモジュールシステム。
［項目１８］
複数の上記スキッドの一つにおける複数の上記切り込みの１つから上記固定クリップを取り外すことにより、各々の上記固定クリップは開放された位置となるように操作されたときに、上記スキッドから取り外される、
項目１７に記載の交換式ＢＩＰＶモジュールシステム。
［項目１９］
上記モジュールフレームは、上記モジュールシステムの上面を形成する光起電積層体を有する、項目１６に記載の交換式ＢＩＰＶモジュールシステム。
［項目２０］
上記複数のスキッドの各々は、建物に搭載され、上記モジュールシステムの上面は、建物の屋根表面を有する、項目１９に記載の交換式ＢＩＰＶモジュールシステム。